(57)【要約】本発明は、基板層（１４）と共重合体層（１６）との間に挟まれた記録媒体（１０）、及び記録媒体の光学特性と異なる光学特性を有する記録媒体において備えられている規則的なスペーサ構成（１８）を有するホログラフィック記憶媒体であって、規則的なスペーサ構成は、記録媒体において記憶されている少なくとも１つのデータセット（２４）の位置を検索するために用いられることが可能である記録媒体における少なくとも１つの位置を規定する、ホログラフィック記憶媒体に関する。本発明は、更に、ホログラフィック記憶媒体を製造する方法及びホログラフィック記憶媒体からデータを読み取る方法に関する。
2008546030.tif 000002
【特許請求の範囲】
【請求項１】
基板層と共重合体層との間に挟まれた記録媒体；及び
前記記録媒体の光学特性と異なる光学特性を有する前記記録媒体において備えられている規則的なスペーサ構成；
を有する、ホログラフィック記憶媒体であって、
前記規則的なスペーサ構成は、前記記録媒体において記憶されている少なくとも１つのデータセットの位置を検索するために用いられることが可能である前記記録媒体における少なくとも１つの位置を規定する；
ホログラフィック記憶媒体。
【請求項２】
請求項１に記載のホログラフィック記憶媒体であって、前記規則的なスペーサ構成はデータセットの周縁を規定する、ホログラフィック記憶媒体。
【請求項３】
請求項１に記載のホログラフィック記憶媒体であって、前記規則的なスペーサ構成は直交する線のパターンを有する、ホログラフィック記憶媒体。
【請求項４】
請求項１に記載のホログラフィック記憶媒体であって、前記規則的なスペーサ構成は少なくとも１つの螺旋状の線を有する、ホログラフィック記憶媒体。
【請求項５】
請求項１に記載のホログラフィック記憶媒体であって、前記規則的なスペーサ構成は、前記記録媒体を挟む前に、前記基板層及び前記共重合体層の少なくとも一に適用される、ホログラフィック記憶媒体。
【請求項６】
請求項１に記載のホログラフィック記憶媒体であって、前記規則的なスペーサ構成は、リソグラフィ法により、前記基板層及び前記共重合体層の少なくとも一に適用される、ホログラフィック記憶媒体。
【請求項７】
基板層と共重合体層との間に挟まれた記録媒体と、前記記録媒体の光学特性と異なる光学特性を有する前記記録媒体において備えられている規則的なスペーサ構成と、を有するホログラフィック記憶媒体を製造する方法であって：
前記基板層及び前記共重合体層の少なくとも一に前記規則的なスペーサ構成を適用する段階；及び
前記のスペーサ構成を適用する段階の後に、前記基板層と前記共重合体層との間に前記記録媒体を挟む段階；
を有する、ホログラフィック記憶媒体を製造する方法。
【請求項８】
請求項７に記載のホログラフィック記憶媒体を製造する方法であって、前記規則的なスペーサ構成は、リソグラフィ法により、前記基板層及び前記共重合体層の少なくとも一に適用される、ホログラフィック記憶媒体を製造する方法。
【請求項９】
基板層と共重合体層との間に挟まれた記録媒体と、前記記録媒体の光学特性と異なる光学特性を有する前記記録媒体において備えられている規則的なスペーサ構成と、を有するホログラフィック記憶媒体からデータを読み取る方法であって、前記規則的なスペーサ構成に基づいて前記記録媒体に記憶されている少なくとも１つのデータセットの位置を検索する段階を有する、方法。
【発明の詳細な説明】
【技術分野】
【０００１】
本発明は、ホログラフィック記憶媒体に関する。更に、本発明は、ホログラフィック記憶媒体を製造する方法及びそのような媒体からデータを読み取る方法に関する。
【背景技術】
【０００２】
ホログラフィックデータ記憶において、データページ又はデータセットと称せられる情報の全体的なセットは、光干渉パターンとして瞬時に記憶される。このために、基板と“共重合体”層との間に挟まれている記録媒体を有するホログラフィック記憶媒体が適用される。その記録媒体は、厚い光感応性光学材料により形成される。ホログラフィック記憶は、記憶媒体において２つのコヒーレントなレーザビームを横断させることにより達成される。オブジェクトビームと呼ばれるそれらのビームの一は、記憶される情報を有し、基準ビームと呼ばれる他のビームは、実質的に平面状の波面を有するコリメートビームとして再生するように、単純であるようにデザインされている。レーザビームからもたらされる光干渉パターンは、光感応性媒体における化学的及び／又は物理的変化をもたらす。この干渉パターンは、記録媒体の光学特性における変化として記録媒体において複製される。記憶されている干渉格子を有するホログラフィック記憶媒体が、記録中に用いられる２つの波の一により照射されるとき、入射光の一部は、他の波が再構成されるように記憶格子により回折される。それにより、記憶されている情報を検索することができる。
【０００３】
本発明は、ホログラフィック媒体の既知の問題点を最小化する、即ち、縮小させることを目的とする。照射のとき、即ち、データを書き込むとき、ホログラフィック媒体は収縮することが知られていて、そのことは、データの読み出しにおいて低い忠実度をもたらし、それ故、より大きいビットエラーレートがもたらされる。光重合性媒体についての文献に記載されている典型的な収縮値は、完全な照射の後には、１％以下である。特に、高開口数の装置については、この値は更に比較的大きく、問題をもたらす。ホログラフィックデータ記憶に関連する更なる問題点は、データページの検索に関するものである。読み出し中、データの個別のセットを位置付けるようにサーボ信号を得ることは好ましい。
【発明の開示】
【発明が解決しようとする課題】
【０００４】
それ故、本発明の目的は、収縮を最小化し且つ読み出し性能を改善するように、ホログラフィック記憶媒体及びそれに関連する方法を提供することである。  
【課題を解決するための手段】
【０００５】
上記の目的は、独立請求項の特徴により解決される。本発明の更なる成果及び好適な実施形態については、従属請求項に記載されている。
【０００６】
本発明にしたがって、基板層と共重合体層との間に挟まれた記録媒体を有するホログラフィック記憶媒体と、記録媒体の光学特性と異なる光学特性を有する記録媒体において備えられている規則的なスペーサ構成とを備え、その規則的なスペーサ構成は、記録媒体において記憶されている少なくとも１つのデータセットの位置を検索するために用いられることが可能である記録媒体における少なくとも１つの位置を規定する。この概念は、ホログラフィック媒体のサンドイッチ構造がｚ方向、即ち、そのサンドイッチ構造の面に対して垂直方向において主に収縮する実験的証拠に基づくものである。この収縮を回避するように、記録媒体はスペーサビードで満たされている。スペーサの屈折率は、ホログラフィック材料の一とかなり異なる。それ故、スペーサは光を散乱し、そのことは、それらのスペーサが材料全体に亘って均一に分布されているときには好ましくない。しかしながら、本発明にしたがうスペーサ構成は規則的である。この規則的なパターンは、データブック（セット）が媒体において、即ち、スペーサが存在しない領域においてどこに位置しているかを決定する。
【０００７】
特に、規則的なスペーサ構成はデータセットの周縁を規定する。それ故、データブックの周縁は、スペーサの光散乱特性の結果として視認可能である。このことは、サーボ信号がデータブックの位置を容易に検索することを可能にする。
【０００８】
好適には、規則的なスペーサ構成は直交する線のパターンを有する。
【０００９】
更なる好適な実施形態にしたがって、規則的なスペーサ構成は少なくとも１つの螺旋状の線を有する。
【００１０】
それらは、本発明にしたがった規則的なスペーサ構成として適用可能である規則的なパターンの２つの実施例である。多くの更なるパターンがまた、用いられることが可能である。
【００１１】
本発明の好適な実施形態のにおいては、規則的なスペーサ構成が、記録層を挟む前に、基板層及び共重合体層の少なくとも一に適用される。これに基づいて、規則的なスペーサ構成は、過度に複雑な製造過程を与えることなく、容易に適用されることが可能である。
【００１２】
これに関連して、規則的なスペーサ構成は、リソグラフィ法により基板層及び共重合体層の少なくとも一に適用される。
【００１３】
したがって、本発明はまた、基板層と共重合体層との間に挟まれた記録媒体を有するホログラフィック記憶媒体と、記録媒体の光学特性と異なる光学特性を有する記録媒体に備えられている規則的なスペーサ構成を製造する方法であって：
基板層と共重合体層の少なくとも一に規則的なスペーサ構成を適用する段階；及び
その段階を適用した後に、基板層と共重合体層との間に記録媒体を挟む段階；
を有する方法に関する。
【００１４】
上記のように、この製造方法は、規則的なスペーサ構成がリソグラフィ法により基板層及び共重合体層の少なくとも一に適用されるときに、特に有利である。
【００１５】
本発明は、基板層と共重合体層との間に挟まれた記録媒体を有するホログラフィック記憶媒体からデータを読み取る方法であって、記録媒体の光学特性と異なる光学特性を有する記録媒体において備えられている規則的なスペーサ構成と、規則的なスペーサ構成に基づいて記録媒体において記憶されている少なくとも１つのデータセットの一を検索する段階を有する、方法に更に関する。
【００１６】
本発明の上記の及び他の特徴は、以下に詳述する実施形態を参照することにより明らかになり、理解することができる。
【発明を実施するための最良の形態】
【００１７】
図１は、従来技術にしたがったホログラフィック記憶媒体の断面図である。ホログラフィック記録媒体１０′は、基板層１４と共重合体層１６との間に挟まれている記録媒体１２を有する。記録媒体１２は光重合性媒体を有する。基板層１４及び共重合体層１６は、ガラス又は何れかの他の適切な材料により形成されることが可能である。ｚ方向における矢印は、照射時にホログラフィック記憶媒体の主収縮方向、即ち、ホログラフィック媒体におけるデータの書き込みを示している。
【００１８】
図２は、本発明にしたがったホログラフィック記憶媒体の断面図である。ｚ方向における縮小を回避するように、本発明にしたがったホログラフィック記憶媒体は、記録媒体１２において備えられている規則的なスペーサ構成１８を有する。更に、その規則的なスペーサ構成１８は、記録媒体の光学特性と異なる光学特性を有する。特に、規則的なスペーサ構成１８の屈折率は、データの読み取り中に光を走査するように、記録媒体１２の屈折率と異なることが可能である。これに基づいて、ホログラフィック記録媒体における位置は、サーボ信号の供給の意味で検索されることが可能である。
【００１９】
図３は、本発明にしたがったホログラフィック記憶媒体の第１実施形態の平面図である。直交している線２０、即ち、第２の複数の平行線に対して直角である第１の複数の平行線が与えられている。それらの線は、矩形のスペーサ構成を形成し、その結果、最小収縮がもたらされる。更に、データブロック２４が、矩形のスペーサ構成間の空間に備えられている。
【００２０】
図４は、本発明にしたがったホログラフィック記憶媒体の第２実施形態の平面図である。その構成は、データブック２４の位置を検索するように利用可能である。それ故、データブック２４の位置を検索するように更なる有用なパターンを利用することが可能である。
【００２１】
上記されていない同等の又は変形の実施形態がまた、同時提出の特許請求の範囲に規定されている本発明の特許請求の範囲における範囲から逸脱することなく用いられることが可能である。
【図面の簡単な説明】
【００２２】
【図１】従来技術にしたがったホログラフィック記憶媒体の断面図である。
【図２】本発明にしたがったホログラフィック記憶媒体の断面図である。
【図３】本発明にしたがったホログラフィック記憶媒体の第１実施形態の平面図である。
【図４】本発明にしたがったホログラフィック記憶媒体の第２実施形態の平面図である。
【図１】
2008546030.tif 000003
【図２】
2008546030.tif 000004
【図３】
2008546030.tif 000005
【図４】
2008546030.tif 000006
【国際調査報告】
2008546030.tif 000007
2008546030.tif 000008
2008546030.tif 000009